(57)【要約】【課題】筐体の脚構造などにおける連結構造において、簡単な構造で、第１部材と第２部材との連結部を、角度変更可能に構成すること。【解決手段】本発明にかかる連結構造は、第１部材と第２部材とを連結する構造において、第１部材側には凸状連結部が形成され、第２部材側には前記凸状連結部の少なくとも一部分が嵌まり得る凹状連結部が形成され、前記凸状連結部と前記凹状連結部とを互いに磁力で吸引し合う磁気吸引手段を備えている。【選択図】      図２
2008089008.tif 000002
【特許請求の範囲】
【請求項１】
第１部材と第２部材とを連結する構造において、
第１部材側には凸状連結部が形成され、第２部材側には前記凸状連結部の少なくとも一部分が嵌まり得る凹状連結部が形成され、
前記凸状連結部と前記凹状連結部とを互いに磁力で吸引し合う磁気吸引手段を備えたことを特徴とする連結構造。
【請求項２】
前記凸状連結部の表面は凸曲面に形成されるとともに、該凸曲面には複数の小突起が形成され、
前記凹状連結部の表面には前記小突起が嵌まり得る複数の小凹穴が形成されていることを特徴とする請求項１に記載の連結構造。
【請求項３】
電子機器の筐体底面に配設された脚状の第１部材と、前記第１部材の下端に配設された台座状の第２部材とを含む筐体の脚構造において、
前記第１部材の下端側には凸状連結部が形成され、第２部材側には前記凸状連結部の少なくとも一部分が嵌まり得る凹状連結部が形成され、
前記凸状連結部と前記凹状連結部とを互いに磁力で吸引し合う磁気吸引手段を備えたことを特徴とする筐体の脚構造。
【請求項４】
前記凸状連結部の表面は凸曲面に形成されるとともに、該凸曲面には複数の小突起が形成され、
前記凹状連結部の表面には前記小突起が嵌まり得る複数の小凹穴が形成されていることを特徴とする請求項３に記載の筐体の脚構造。
【発明の詳細な説明】
【技術分野】
【０００１】
本発明は、脚状の部材と前記脚状の部材の下端に配設された台座状の部材とを含む支持構造で、無線機やディスプレイ等の箱型の筐体を支持する構造に関するものである。
【背景技術】
【０００２】
従来より、無線機の筐体を支持する脚状の支持構造としては、特許文献１（特開2000-286563）にて開示されているように、図１２に示した構造のものが知られている。
図１２の構造は、脚状の支持柱１０１と前記支持柱の下端に形成された台座状の接地部材１０２とからなり、筐体１００を、床、机の面等に設置するときには、前記接地部材１０２を、床、机等に当てることにより、前記支持柱１０２を介して前記筐体１００を支持するように構成されている。
このような支持構造を筐体１００の底面の４箇所の内の前面側の２箇所に配設し、支柱体１０１を筐体から出没可能とすることによって、筐体１００の前面パネルを床から任意の高さに設置することができる。
【０００３】
【特許文献１】特開2000-286563号公報
【発明の開示】
【発明が解決しようとする課題】
【０００４】
上述したような従来の支持構造では、筐体の底面の４箇所の内前面側の２箇所に配設し、支柱体を筐体から出し入れ可能とすることによって、筐体の前面側の高さを変更でき、前面パネルを見やすい高さや角度に設定することが可能となる。
しかし、筐体の前面側のみを高く調節した場合には、筐体が傾斜し、前面パネルが傾いた状態となって見やすくなるが、接地部材は支持柱の下端に固定されており、支持柱は筐体の高さ方向に出し入れする構造であるため、斜めになった場合には、接地部材が床面と非平行になって一部が浮き上がった状態となるという問題がある。
そのためには、接地部材と支持柱との連結部を、角度変更可能に構成する必要があるが、そのような構成は複雑になるという問題があった。
【０００５】
そこで、本発明は、簡単な構造で、接地部材（第１部材）と支持柱（第２部材）との連結部を、角度変更可能に構成することが可能な支持構造を提供することを目的としてなされたものである。
【課題を解決するための手段】
【０００６】
本発明にかかる請求項１の連結構造は、
第１部材と第２部材とを連結する構造において、
第１部材側には凸状連結部が形成され、第２部材側には前記凸状連結部の少なくとも一部分が嵌まり得る凹状連結部が形成され、
前記凸状連結部と前記凹状連結部とを互いに磁力で吸引し合う磁気吸引手段を備えたことを特徴としている。
なお、前記凸状連結部および凹状連結部は、曲面も多面体からなる面も含むものとする。また、前記凸状連結部と凹状連結部とは、ゴム被覆で摩擦力によりずれないようにしてもいい。
請求項２の発明は、
前記凸状連結部の表面は凸曲面に形成されるとともに、該凸曲面には複数の小突起が形成され、
前記凹状連結部の表面には前記小突起が嵌まり得る複数の小凹穴が形成されていることを特徴としている。
請求項３の脚構造は、
電子機器の筐体底面に配設された脚状の第１部材と、前記第１部材の下端に配設された台座状の第２部材とを含む筐体の脚構造において、
前記第１部材の下端側には凸状連結部が形成され、第２部材側には前記凸状連結部の少なくとも一部分が嵌まり得る凹状連結部が形成され、
前記凸状連結部と前記凹状連結部とを互いに磁力で吸引し合う磁気吸引手段を備えたことを特徴としている。
請求項４の発明は、
前記凸状連結部の表面は凸曲面に形成されるとともに、該凸曲面には複数の小突起が形成され、
前記凹状連結部の表面には前記小突起が嵌まり得る複数の小凹穴が形成されていることを特徴としている。
【発明の効果】
【０００７】
本発明の請求項１の連結構造によれば、
第１部材側には凸状連結部が形成され、第２部材側には前記凸状連結部の少なくとも一部分が嵌まり得る凹状連結部が形成され、前記凸状連結部と前記凹状連結部とを互いに磁力で吸引し合う磁気吸引手段を備えているので、第１部材と第２部材との相対的な角度を種々に変えた状態で互いに吸引し、第１部材と第２部材とが連結された状態が保持される。
請求項２では、前記凸状連結部の表面は凸曲面に形成されるとともに、該凸曲面には複数の小突起が形成され、前記凹状連結部の表面には前記小突起が嵌まり得る複数の小凹穴が形成されているので、第１部材と第２部材との相対的な角度を種々に変えた状態で互いに吸引し、さらに、前記小突起が前記小凹穴に嵌まった状態になるので、第１部材と第２部材とが連結された状態で相対的な位置関係がずれない状態に保持される。
請求項３の脚構造によれば、
前記第１部材の下端側には凸状連結部が形成され、第２部材側には前記凸状連結部の少なくとも一部分が嵌まり得る凹状連結部が形成され、前記凸状連結部と前記凹状連結部とを互いに磁力で吸引し合う磁気吸引手段を備えているので、第１部材と第２部材との相対的な角度を種々に変えた状態で保持でき、筐体と床面との角度を変えることができる。
また、請求項４では、前記凸状連結部の表面は凸曲面に形成されるとともに、該凸曲面には複数の小突起が形成され、前記凹状連結部の表面には前記小突起が嵌まり得る複数の小凹穴が形成されているので、第１部材と第２部材との相対的な角度を種々に変えた状態で互いに吸引し、さらに、前記小突起が前記小凹穴に嵌まった状態になるので、第１部材と第２部材とが連結された状態で相対的な位置関係がずれない状態に保持され、筐体と床面との角度を変えることができる。
【発明を実施するための最良の形態】
【０００８】
以下に、本発明にかかる連結構造と、その構造を採用した筐体の脚構造とを、実施の形態を示した図面に基づいて詳細に説明する。
１は無線通信機の筐体、２は前記筐体１の前面の操作パネル１１に近い底面に配設された１対の脚、３は前記筐体１の背面に近い底面に配設された１対の固定脚である。
前記脚２は本発明の特徴構造を備えた脚であり、その分離状態の斜視図を図２に示した。図２に示したように、脚２は、前記筐体１の底面に出没可能に配設された例えば円柱形で脚状の第１部材２１と、前記第１部材２１の下端に配設された例えば円盤状で台座状の第２部材２２とから構成されている。
前記第１部材２１の下端側には半球状の凸状連結部２１１が形成され、第２部材２２の上面には窪み状の凹状連結部２２１が形成されている。前記凹状連結部２２１は、前記凸状連結部２１１の少なくとも一部分が嵌まり得るように形成されている。
前記凸状連結部２１１の上部には環状の磁石２１２が配設され、前記凹状連結部２２１の下部には環状の磁石２２２が配設され、これらの磁石２１２、２２２とは互いに磁力で吸引し合うように異極どうしが向かい合うように配設され、磁気吸引手段が形成されている。このように形成された磁気吸引手段によって、第１部材２１と第２部材２２とは容易には分離されないように固定される。
以上の構成において、第２部材２２と第１部材２１の軸がなす角度を変更する場合、第１部材と第２部材との固定状態を、磁石２１２、２２２による吸引力より大きな力を加えて引き離し、第１部材と第２部材とが所望の角度を形成した状態で、第１部材の下端部の半球状の凸状連結部２１１を、第２部材２２の上面の窪み状の凹状連結部２２１に嵌め込んだ後、再度磁石２１２、２２２の吸引力で第１部材と第２部材とを固定する。
【実施例１】
【０００９】
図３には前記脚２の実施例の分解斜視図を示した。
図３に示したように、前記第１部材２１は樹脂性材料からなる円柱状の上部部材２１３と、環状の磁石２１２と、樹脂性材料からなる凸状連結部２１１とがほぼ同軸上に連結されて固定されている。前記凸状連結部２１１の上側に凸設されている軸は、前記磁石２１２の中心孔に挿通され、さらに前記上部部材２１３の下面に形成された中心穴に嵌め込まれて、３つの部材（上部部材２１３、磁石２１２、凸状連結部２１１）が互いに連結して固定されている。
前記上部部材２１３の上面が、図示しない出没機構を介して前記筐体１の底面に固定されている。
なお、第１部材は円柱状に限らず、円錐台状、多角柱状、多角錐台状、ほぼ球状、曲り棒状、枝状など、種々の形状が可能である。また、第２部材は円盤状に限らず、円錐台状、多角形の板状、多角錐台状、半球状など、種々の形状が可能である。
【００１０】
第２部材２２は前記凹状連結部２２１が形成された台座２２３と、樹脂性材料からなる台座２２３の下面に形成された窪みに嵌め込まれた磁石２２２とから構成されている。
前記第２部材２２を前記第１部材２１に近づけると、前記第２部材２２の磁石２２２と前記第１部材２１の磁石２１２とが吸引し合うので、前記第２部材２２は前記第１部材２１の下端に吸着され、容易には分離されない状態となる。
【００１１】
なお、図４の（ａ），（ｂ）に示したように、前記第１部材２１の凸状連結部２１１の表面には、複数の小突起２１５を形成し、対応する第２部材２２の凹状連結部２２１の表面には、前記小突起２１５が嵌まり得る小凹穴２２５が形成されている。このとき、複数の小突起の相互位置関係と、複数の小凹穴の相互位置関係とは、互いに等間隔として、第１部材と第２部材との角度を変えた場合でも、対応する小突起と小凹穴とが嵌まり得るように構成しておく。
したがって、前記第２部材２２と前記第１部材２１とが吸着されて連結された状態においては、前記第２部材２２側の小凹穴２２５に前記第１部材２１側の小突起２１５が嵌まり込んだ状態となり、相対的な位置関係が容易にはずれない状態となる。
以上の状態では、磁石による吸引作用によって、前記第２部材２２と前記第１部材２１とは容易には分離しない連結状態となり、小凹穴２２５と小突起２１５の嵌まり合いによって、前記第２部材２２と前記第１部材２１との相対的な位置関係が容易には、ずれない状態となり、このような連結状態が保たれる。
なお、前記前記第１部材２１の小突起２１５は複数個が好ましいが、１つだけ設けてもよい。
前記脚２は本発明にかかる脚構造に対応し、前記脚２には本発明にかかる連結構造が採用されている。
前記一対の磁石２１２、２２２とで磁気吸引手段を構成している。
【００１２】
前記第１部材２１は、図示しない出没機構によって、筐体の底面に対して垂直に出没させることができるように構成されている。
ほぼ水平な床面Ｆに前記筐体１を置くときには、図４の（ａ）、（ｂ）に示したように、床面Ｆに対してほぼ垂直な前記第１部材２１に、前記第２部材２２をほぼ水平の状態で吸引させると、図４の（ｃ）に示したように、筐体１をほぼ水平に設置できる。なお、前記筐体１を若干傾けて設置して操作パネル１１を見やすい角度にすることもできる。
前下りに傾斜した床面Ｆに前記筐体１を置くときには、図示しない出没機構を操作して前記第１部材２１を図４の（ｃ）に示した状態以上に繰り出し、図５の（ａ）、（ｂ）に示したように、前記第１部材２１に対して前記第２部材２２を前下りに傾けた状態で吸引させると、図５の（ｃ）に示したように操作パネル１１が見やすい角度になる。
なお、本明細書において”床面”とは、室内の床面だけでなく、テーブルや机などの載置面、さらには、壁面などの取り付け面などを総称するものである。
【００１３】
なお、図４においては、小凹穴２２５と小突起２１５の嵌まり合いによって、前記第２部材２２と前記第１部材２１との相対的な位置関係がずれないように保持する保持手段を構成したが、小凹穴２２５と小突起２１５の嵌まり合いに限らず、凸状連結部２１１の表面を多面体からなる凸面とし、凹状連結部２２１の表面を多面体からなる凹面としてもよく、凸状連結部２１１の表面と凹状連結部２２１の表面とに、相互の摩擦抵抗が大きなゴム膜などを形成して摩擦抵抗によって保持手段を形成してもよい。
【００１４】
また、床面もしくは壁面が磁性体の場合には、第２部材に設けた磁石によって吸着させて、位置を固定して使用することができる。
なお、２つの磁石のうち一方は磁石でなくてもよい。この場合は、一方は磁石で他方は磁性体とするとよい。
【００１５】
図１に示した例では、筐体１の底面に複数の脚を配設した場合を説明したが、筐体１Ｂが小型・軽量である場合には、図６に示したように、筐体１Ｂの底面に１つの脚を設けるだけでよい。
この場合、筐体１Ｂの底面に垂直に固定した第１部材２１Ｂと第２部材２２Ｂとを磁石によって吸引させて連結すると、水平な床面に置くときには図６の（ａ）に示したように筐体１Ｂを水平に支持したり、図６の（ｂ）に示したように筐体１Ｂを傾けて支持したりすることができる。また、傾斜した床面に置くときに、図６の（ｃ）に示したように筐体１Ｂを水平に支持することもできる。
【００１６】
図１、図６に示した例では、筐体１の底面に脚を配設した場合を説明したが、壁面に取り付ける場合には、図７に示したように、筐体１Ｃの背面に１つの脚を設け、第２部材２２Ｃを壁面Ｗに固定しておく。
そして、筐体１Ｃの背面に固定した第１部材２１Ｃと第２部材２２Ｃとを磁石によって吸引させて連結すると、垂直な壁面Ｗに取り付けて使用できる。
図７の（ａ）に示したように垂直な壁面Ｗに筐体１Ｃを垂直に支持したり、図７の（ｂ）に示したように垂直な壁面Ｗに筐体１Ｃを傾けて支持したり、図７の（ｃ）に示したように傾斜した壁面Ｗに筐体１Ｃを垂直に支持することもできる。
【００１７】
なお、第１部材と第２部材とは一体ではないため、脱落して紛失したりするといけないので、第１部材と第２部材とが分離して脱落することを防止する脱落防止手段を設けてもよい。例えば、図８に示したように、第１部材２１Ｄと第２部材２２Ｄとが吸引して連結された状態で脱落防止手段としての可撓性の筒状のカバー２３Ｄを被せ、第１部材２１Ｄと第２部材２２Ｄとが分離脱落しないようにすることができる。
また、例えば、図９に示したように、第１部材２１Ｅと第２部材２２Ｅとを脱落防止手段としての連結紐２３Ｅで繋ぎ、第１部材２１Ｅと第２部材２２Ｅとが分離しても脱落しないようにすることができる。
【００１８】
以上の例では、脚構造としては、１対の第１部材と第２部材とで構成された例を示したが、例えば棒状の連結体の１端には第１部材の凸状連結部を形成し、他端には第２部材の凹状連結部を形成し、このような構造の連結体を複数個順次連結して使用することも可能である。
この場合、図１０に示した連結体５の１端には第１部材の凸状連結部５１を形成し、他端には第２部材の凹状連結部５２を形成し、中間に所望長さの棒体５３を形成した。前記凹状連結部５２は、前記凸状連結部５１の少なくとも一部が嵌まる形状に構成されている。また、前記凸状連結部５１の表面には小突起を形成し、前記凹状連結部の表面には小凹穴を形成し、互いに凹凸が嵌まりあうことによって、相対的な位置関係がずれないようにする。
【００１９】
図１１に示したように、上記構造の連結体５を他の連結体６、７と順次連結して使用することも可能である。この場合には、基端の連結体６の凸状連結部６１は、壁面に固定された固定部材８の凹状連結部８１に嵌め込んで連結し、先端の連結体７には筐体固定板７１を固定して取り付け、この筐体固定板７１に支持対象の筐体（図示せず）を固定することによって、筐体を自由な角度に支持できる支持構造を実現することができる。
【図面の簡単な説明】
【００２０】
【図１】本発明にかかる筐体の脚構造の実施形態の斜視図である。
【図２】前記脚構造の拡大斜視図である。
【図３】前記脚構造の分解斜視図である。
【図４】前記脚構造の説明図である。
【図５】前記脚構造の説明図である。
【図６】前記脚構造の別の使用形態の説明図である。
【図７】前記脚構造の別の使用形態の説明図である。
【図８】別の形態の脚構造の斜視図である。
【図９】別の形態の脚構造の斜視図である。
【図１０】別の形態の脚構造の斜視図である。
【図１１】別の形態の脚構造の斜視図である。
【図１２】従来例の脚構造の側面断面図である。
【符号の説明】
【００２１】
１  筐体
２  脚
２１  第１部材
２１１  凸状連結部
２１２  磁石
２１５  小突起
２２  第２部材
２２１  凹状連結部
２２２  磁石
２２３  台座
２２５  小凹穴
２Ｂ  脚
２１Ｂ  第１部材
２２Ｂ  第２部材
２Ｃ  脚
２１Ｃ  第１部材
２２Ｃ  第２部材
２Ｄ  脚
２１Ｄ  第１部材
２２Ｄ  第２部材
２３Ｄ  脱落防止手段
２Ｅ  脚
２１Ｅ  第１部材
２２Ｅ  第２部材
２３Ｅ  脱落防止手段
【図１】
2008089008.tif 000003
【図２】
2008089008.tif 000004
【図３】
2008089008.tif 000005
【図４】
2008089008.tif 000006
【図５】
2008089008.tif 000007
【図６】
2008089008.tif 000008
【図７】
2008089008.tif 000009
【図８】
2008089008.tif 000010
【図９】
2008089008.tif 000011
【図１０】
2008089008.tif 000012
【図１１】
2008089008.tif 000013
【図１２】
2008089008.tif 000014